(57)【要約】      （修正有）【課題】一定または一定範囲の嗜好・志向に共通性のある一定範囲の人およびグループを対象として、効率よく企業広告の推進と食品販売の促進を同時におこなえるシステム、方法および媒体を提供する。【解決手段】食品パッケージを、パッケージ自体と、そのパッケージの表面に貼着した広告表示用シールとからなる広告・販促パッケージとして構成し、一定または一定範囲の嗜好・志向に共通性のある一定範囲の人およびグループに対する広告・販促媒体として使用する。  当該シールは、広告依頼者から依頼を受けたシール管理部門により用意されるとともに、貼着を希望する生産者・製造業者に配送（配布）され、生産者・製造業者にてパッケージに貼着される。【選択図】図２
2007206662.tif 000002
【特許請求の範囲】
【請求項１】
特徴ある食品のパッケージとシールを媒体として、一定または一定範囲の嗜好・志向に共通性のある一定範囲の人およびグループ、例えばヘルシー嗜好・志向にある人およびグループと、ヘルシー・エコロジーライフを提案もしくは環境（保護）活動を展開している広告依頼者との掛け渡しを主目的とする広告および販売促進の性質を合わせ持つシステム。
【請求項２】
請求項１記載の食品パッケージを、パッケージ自体と、そのパッケージの表面に貼着した広告表示用シールとからなる広告・販促パッケージとして構成し、この当該シールを客に対する食品選択・購入時もしくは使用時の広告・販促媒体として使用するシステムであって、当該シールは、広告依頼者から依頼を受けたシール管理部門により用意されるとともに、当該シールの貼着を希望する生産者・製造業者に配送（配布）され、生産者・製造業者にてパッケージに貼着されることを特徴とする広告・販促システム。
【請求項３】
前記シール管理部門は、通信ネットワーク上に、広告依頼者と当該シールの貼着を希望する生産者・製造業者とがアクセスできる仲介用サイトを保有するとともに、アクセスした広告依頼者および生産者・製造業者の情報を保存する広告依頼者データベースおよび生産者・製造業者データベース、ならびに広告依頼者および生産者・製造業者の中から相互に適合するものを仲介する手段を備え、この仲介手段を介する契約に基づいて、生産者・製造業者に当該シールを提供する請求項２記載の広告・販促システム。
【請求項４】
請求項１記載の「特徴ある食品」とは、例えば有機栽培の農産物など、前記一定または一定範囲の嗜好・志向に共通性のある一定範囲の人およびグループの思考・志向に関係の深い食品であって、その特徴は請求項３記載サイトの生産者・製造業者データベースに詳細データとして登録、広告依頼者などからアクセス可能とする広告・販促システム。
【請求項５】
当該シールには、広告依頼者が管理するホームページ、またはその広告依頼者が提案もしくは展開している内容を説明するページにリンクするために適切なＵＲＬ、ＱＲコードなどを記載して、広告展開を図るとともに広告依頼者による対象食品への推奨（認定・認証）も表記する広告・販促システム。
【発明の詳細な説明】
【技術分野】
【０００１】  本発明は、例えば百貨店、スーパーマーケット、食品雑貨店等で販売している食品を包装しているパッケージを用いた広告・販促システム、広告・販促方法および媒体に関する。
【背景技術】
【０００２】  この種の店舗においては、例えば到来する客等、食品を吟味する注視対象者がおり、選択時・購入時においてその視野にパッケージが入る。したがって、客等は意識的に、または無意識のうちに、パッケージ表面の絵柄や文字等を認識し易い状況にある。【０００３】  一方、上記各店舗の客層は概括的なグループに分類することができる。例えばヘルシー嗜好・志向にある人およびグループは主として無農薬、低農薬、無添加物、低カロリー等の食品を好む傾向である（特許文献１参照）。【０００４】  このように、一定または一定範囲の嗜好・志向に共通性のある一定範囲の人およびグループ、一様態としてヘルシー嗜好・志向にある人およびグループを特定、これらの客層に向けた商品やサービスをはじめ、提案もしくは関連の深い活動を展開している企業の広告・宣伝が比較的特定し易い情況と考えられる。【０００５】  また従来、店舗に到来する客に対して種々の販売促進に関する試みもいろいろなかたちで展開されており、新たな販促システムも開発されている。例えば、キャンペーンの効果を即時に測定でき、クローズド・キャンペーン終了後もキャンペーンに参加した顧客との関係を保持して、販売促進や来店頻度を高めるものである（特許文献２参照）。【０００６】  しかしながら、他企業に関する広告の性質までは持ち合わすことない、自社・自販売物への販売促進に特化したものである。
【特許文献１】  特開２００４−２０１５３９号公報
【特許文献２】  特開２００３−３１６９９２号公報
【発明の開示】
【発明が解決しようとする課題】
【０００７】  従来では、店舗内において一定または一定範囲の嗜好・志向に共通性のある一定範囲の人およびグループを対象として、効率よく広告と販売促進を同時に行うシステム、方法および媒体の確立がなされていない。【０００８】  本発明は、このような事情も鑑みてなされたもので、対象食品の詳細データを吟味したうえで他企業が広告を載せるという認定・認証（販促的要素）、およびその広告、言い換えるところの本発明における広告表示用シールに記載されているＵＲＬ、ＱＲコードなどからのリンクによる他企業（広告依頼者）に関する情報提供（広告的要素）といった広告および販売促進の性質を合わせ持つものである。
【課題を解決するための手段】
【０００９】  本発明は、上記の目的を達成するために、特徴ある食品のパッケージとシールを媒体として、一定または一定範囲の嗜好・志向に共通性のある一定範囲の人およびグループ、一様態としてヘルシー嗜好・志向にある人およびグループと、ヘルシー・エコロジーライフを提案もしくは環境（保護）活動を展開している広告依頼者との掛け渡しを主目的とする広告および販売促進の性質を合わせ持つシステムを提供する。【００１０】  本発明において、前記食品パッケージは、パッケージ自体と、そのパッケージの表面に貼着した広告表示用シールとからなる広告・販促パッケージとして構成され、この当該シールを客に対する食品選択・購入時もしくは使用時の広告・販促媒体として使用するシステムであって、当該シールは、広告依頼者から依頼を受けたシール管理部門により用意されるとともに、当該シールの貼着を希望する生産者・製造業者に配送（配布）され、生産者・製造業者にてパッケージに貼着されることを特徴とするシステム、方法および媒体を提供する。【００１１】  また、本発明では、前記シール管理部門は、通信ネットワーク上に、広告依頼者と当該シールの貼着を希望する生産者・製造業者とがアクセスできる仲介用サイトを保有するとともに、アクセスした広告依頼者および生産者・製造業者の情報を保存する広告依頼者データベースおよび生産者・製造業者データベース、ならびに広告依頼者および生産者・製造業者の中から相互に適合するものを仲介する手段を備え、この仲介手段を介する契約に基づいて、生産者・製造業者に当該シールを提供する。【００１２】  本発明における「特徴ある食品」とは、例えば有機栽培の農産物など、前記一定または一定範囲の嗜好に共通性のある一定範囲の人およびグループの思考・志向に関係の深い食品であって、その特徴は前記仲介用サイトの生産者・製造業者データベースに詳細データとして登録、広告依頼者などからアクセス可能とする機会・機能を提供する。【００１３】  さらに本発明においては、当該シールに、広告依頼者が管理するホームページ、またはその広告依頼者が提案もしくは展開している内容を説明するページにリンクするために適切なＵＲＬ、ＱＲコードなどを記載して、広告展開を図るとともに広告依頼者による対象食品への推奨（認定・認証）も併せて表記する、広告および販売促進の性質を合わせ持つシステムを提供する。
【発明の効果】
【００１４】  本発明の広告表示用シールを用いた当該システム、方法および媒体によれば、一定または一定範囲の嗜好・志向に共通性のある一定範囲の人およびグループの注視対象となる食品に関連広告表示を行うので、嗜好・志向に対応する一群の需要者層を対象として、効率よく広告を行うことができる。【００１５】  昨今のような食品をめぐる違法行為が大きな社会問題になる中、有機栽培の農産物などの特徴ある食品と広告表示用シールの組み合せを介して、ヘルシー・エコロジーライフなどを提案もしくは環境（保護）活動を展開している企業を、それら企業の取り組みを注視する一定範囲の人およびグループを対象に、効率よく広告を行うことができる。【００１６】  また、本発明においては、生産者・製造業者データベースに詳細データとして登録した内容を検討したうえで広告を載せることが、広告依頼者からの対象食品に対する認定・認証という位置付けとなり、生産者・製造業者にとっても販売促進を図るうえでの効果が高まる。
【発明を実施するための最良の形態】
【００１７】  本発明の好ましい一実施形態に係る方法は、特徴のある食品として、例えば有機栽培の農産物のパッケージを採用したものである。ここで、有機栽培の農産物は、生産者によって採集される農産物が独自にパッケージされた状態で店頭において販売されるものである。【００１８】  前記農産物に関する特徴として、たい肥の状態、農薬・化学肥料の使用状況、遺伝子組み替えの技術使用の有無、有機ＪＡＳマークの貼付状況などを、請求項３仲介用サイト（図１、および図３）のデータベースに登録、広告依頼者などからのアクセスにより詳細データを確認できる状況とする。【００１９】  そして、本実施形態における広告方法の一様態としては、前記詳細データを確認した広告依頼者（図１、および図３）により、必要に応じて生産者・製造業者（図１、および図３）への問い合せ等を介し、相互に適合するものの仲介を経たうえで契約に至りし場合、広告表示用シールがシール管理部門（図３）により用意される。【００２０】  広告依頼者から依頼を受けて用意された当該シールは、前記シール管理部門から生産者・製造業者に配送（配布）され、パッケージに貼着される（図２）。【００２１】  当該シールには、その広告依頼者が提案もしくは展開している内容（一定または一定範囲の嗜好・志向に共通性のある一定範囲の人およびグループの思考・志向に関係の深い内容）を説明するページ（図３・符号５１）などにリンクするために適切なＵＲＬ、ＱＲコード（図２）などを記載して広告展開を図る。【００２２】  さらに本実施形態における販売促進方法の一様態としては、当該シールに、ＵＲＬ、ＱＲコードなどと共に広告依頼者による対象食品への推奨（図２）も併せて表記するものとする。
【図面の簡単な説明】
【００２３】
【図１】客等（一定または一定範囲の嗜好・志向に共通性のある一定範囲の人およびグループ）、生産者・製造業者、広告依頼者、および仲介用サイトの相関図（概念図）。※併せて、広告表示用シールの影響範囲を表すフロー図とする。
【図２】広告表示用シールに表示するＵＲＬ、ＱＲコード（広告的要素）、および推奨（販促的要素）の例。※併せて、食品パッケージと、そのパッケージの表面に貼着した広告表示用シールとからなる広告・販促パッケージの例。
【図３】サーバーの構成例を含む客等、生産者・製造業者、広告依頼者、および仲介用サイトの関連図。
【符号の説明】
【００２４】１１ａ  食品推奨（認定・認証）フロー
１１ｂ  食品販促・販売フロー（店舗等経由）
１１ｃ  社会的使用度の認識フロー
１２ａ  企業広告の依頼フロー
１２ｂ  企業宣伝の実行フロー
１２ｃ  広告の閲覧フロー
１３    一定または一定範囲の嗜好・志向に共通性のある一定範囲の人およびグループの仲介
２１    食品パッケージ
２２    広告表示用シールの拡大
３０    シール管理部門
３１    仲介用サイト
３１ａ  仲介フロー
３２    生産者・製造業者データベース
３３    広告依頼者データベース
４０    生産者・製造業者
４０ａ  生産者・製造業者データベースへの登録フロー
５０    広告依頼者
５０ａ  広告依頼者データベースへの登録フロー
５１    広告依頼者が管理するホームページ、またはその広告依頼者が提案もしくは展開している内容を説明するページ
６０    客等
６０ａ  広告の閲覧フロー
【図１】
2007206662.tif 000003
【図２】
2007206662.tif 000004
【図３】
2007206662.tif 000005